(57)【要約】【課題】重りの追加又は除去が容易にでき、重りによって扉本体の外観体裁が損なわれず、縦框も縦框の上下端部のキャップも従来品をそのまま使用できて、製品価格の上昇を招かず、閉鎖位置に存する扉本体の左右両側に塀の端部が近接する場合にも左右されない跳ね上げ門扉を提供する。【解決手段】重り取付ベース材と、その重り取付ベース材に添設される重りと、その重りを複数個、重り取付ベース材に添設重合した状態で固着する固着手段とで重り装着ユニットを構成し、前記重り取付ベース材を扉本体の左右の縦框の中空部を形成する縦壁のうち、外側縦壁と近似の帯板状に形成し、縦框の中空部に挿入し、その外側縦壁の外側からねじ込まれるビスにより縦框に取り付け、重りはいずれも帯板状に形成し、固着手段にはいずれの重りに対しても共通の部材を用いて、重り取付ベース材に添設重合した状態で固着するようにした。【選択図】  図３
2010203047.tif 000002
【特許請求の範囲】
【請求項１】
重り取付ベース材と、その重り取付ベース材に添設される重りと、その重りを複数個、前記重り取付ベース材に添設重合した状態で固着する固着手段とで重り装着ユニットを構成し、
前記重り取付ベース材は、扉本体の左右の縦框の中空部を形成する縦壁のうち、横框と反対側の外側縦壁と近似の帯板状に形成して、前記縦框の中空部に挿入して、その外側縦壁の外側からねじ込まれるビスにより前記縦框に取付け、前記重りはいずれも帯板状に形成して、固着手段はいずれの重りに対してもその重りに貫通される共通の部材により前記重り取付ベース材に添設重合した状態で固着するものとしたことを特徴とする跳ね上げ式門扉。
【請求項２】
固着手段は、重り取付ベース材に形成された孔に重り取付ベース材の正面側から背面方向に貫通され、重りに設けられたねじ孔にねじ込まれるビスからなることを特徴とする請求項１に記載の跳ね上げ式門扉。
【請求項３】
固着手段は、重り取付ベース材に形成された孔に重り取付ベース材の正面側から背面方向に貫通され、重りに設けられた孔に貫通されるビス又は軸と、そのビス又は軸の重りの背面側に突出された先端に装着される抜け防止材とからなることを特徴とする請求項１に記載の跳ね上げ式門扉。
【請求項４】
抜け防止材は、重りと同等の帯板状に形成され、重りを兼ねるナットであることを特徴とする請求項３に記載の跳ね上げ式門扉。
【請求項５】
重り装着ユニットは、重り取付ベース材に所要数の重りが固着手段により予め固着されていて、重り取付ベース材を扉本体の左右の縦框のあり溝に、重りをその縦框の中空部に挿入して、縦框の外側縦壁の外側からねじ込まれるビスにより、重り取付ベース材がその外側縦壁の内面に固着されることを特徴とする請求項１に記載の跳ね上げ式門扉。
【発明の詳細な説明】
【技術分野】
【０００１】
本発明は、跳ね上げ式門扉、さらに詳しくは、バランス用重りの取付け構造を改良したものに関する。
【背景技術】
【０００２】
跳ね上げ式門扉は、左右の支柱にアームの一端を回転自在に取付け、そのアームの他端に扉本体を取付けるともに、支柱に設けた付勢機構をそのアームに連結して、地面付近において垂直状態に保たれている扉本体を付勢機構による荷重軽減作用を利用しながら地面上方において水平状態になるまで回動させることにより門を開放し、地面上方において水平状態に保たれている扉本体を付勢機構による緩衝作用を利用しながら地面付近において垂直状態になるまで回動させることにより門を閉めるように構成されている。
【０００３】
扉本体はそれなりの荷重を有し、アームの他端はその扉本体の上部に結合されるので、扉本体の開閉時に要する力を軽減して開閉を円滑にできるようにするために、また、扉本体の閉鎖時に衝撃を受けないようにするために、コイルバネやオイル式又はエア式ダンパーで構成される付勢機構が用いられる。
【０００４】
しかし、扉本体の大きさ（幅及び／又は高さ）、従って、扉本体の荷重は、設置場所の条件や施主の希望により種々異なる。扉本体の大きさの違いによる製品価格の変動を少なくするため、付勢機構はやや大きめの付勢力を有するものを共通に用いるのが通例であるので、扉本体には、当該大きさにおいて付勢機構の付勢力と扉本体の荷重がバランスするように、扉本体に重りを付加することが、例えば特許文献１，２に開示されている。
【先行技術文献】
【特許文献】
【０００５】
【特許文献１】実開昭６２−８９５００号公報
【特許文献２】特開２００４−５２３１１号公報
【発明の概要】
【発明が解決しようとする課題】
【０００６】
特許文献１の発明は、扉本体の縦框の上部に設けた孔から液状の重りを上部横框内に注入し、又は扉本体の上部背面に塊状の重りを取付けるものである。
【０００７】
従って、縦框に特殊な加工を必要とするほか、液状重りの注入・保持が容易でなく、また、扉本体の背面に塊状の重りが露出されるため、扉本体の外観体裁が損なわれる等の問題がある。
【０００８】
また、特許文献２の発明は、扉本体の縦框の外側面に帯板状重りを複数枚だけ取付け、その縦框にカバーを取付けて、縦框の外側面に突出する重りを被覆するようにしたものである。この発明は、重りを容易に追加又は除去することができる、取り付けた重りによって扉本体の外観体裁が損なわれることがない、という利点を有する。
【０００９】
しかしながら、特許文献２の発明においては、重りを縦框の外側面に装着するので、その重りを被覆するための、縦框とは別部材のカバーを必要とし、そのカバーは、断面コ字形の押出形材を縦框と等しい長さに切断して作られる。そして、縦框から外方向に突出して取り付けられるので、従来の縦框の上、下端部に装着されてきたキャップに代えて、そのキャップよりも長いキャップを新たに製作する必要がある。従って、製品価格の上昇が避けられないという問題がある。さらに、左右の縦框の外側にカバーが延出されるので、既設の跳ね上げ門扉の閉鎖位置にある扉本体の左右両側に塀の端部が近接している場合には、この発明を適用することができないという問題がある。
【００１０】
従って、本発明の解決しようとする課題は、上記従来技術の問題点を解決することにある。すなわち、重りの装着又は除去が容易にでき、装着された重りによって扉本体の外観体裁が損なわれず、重りの装着に伴う製品価格の上昇を招かず、閉鎖位置に存する扉本体の左右両側に塀の端部が近接する場合にも左右されない跳ね上げ門扉を提供することを目的としている。
【課題を解決するための手段】
【００１１】
上記課題を解決するため、本発明は、重り取付ベース材と、その重り取付ベース材に添設される重りと、その重りを複数個、重り取付ベース材に添設重合した状態で固着する固着手段とで重り装着ユニットを構成し、重り取付ベース材は、扉本体の左右の縦框の中空部を形成する縦壁のうち扉本体の横框と反対側の外側縦壁と近似の帯板状に形成し、前記縦框の中空部に挿入して前記外側縦壁の外側からねじ込まれるビスにより縦框に取付け、重りはいずれも帯板状に形成し、固着手段はいずれの重りに対しても共通の部材により重り取付ベース材に添設重合した状態で固着するものとしたことを特徴としている（請求項１）。
【００１２】
本発明の好ましい例では、固着手段は、重り取付ベース材に形成された孔に重り取付ベース材の正面側から背面方向に貫通され、重りに設けられたねじ孔にねじ込まれるビスからなることを特徴としている（請求項２）。
【００１３】
また、本発明の好ましい例では、固着手段は、重り取付ベース材に形成された孔に重り取付ベース材の正面側から背面方向に貫通されて、後端においてその重り取付ベース材に係止され、かつ、重りに設けられた孔に貫通されるビス又は軸と、そのビス又は軸の重りの背面側に突出された先端に装着される抜け防止材とからなることを特徴としている（請求項３）。
【００１４】
本発明の好ましい例では、前記抜け防止材は、重りと同等の帯板状に形成され、重りを兼ねるナットであることを特徴としている（請求項４）。
【００１５】
本発明の好ましい例では、重り装着ユニットは、重り取付ベース材に所要数の重りが固着手段により予め固着されていて、重り取付ベース材を扉本体の左右の縦框のあり溝に重りをその縦框の中空部に挿入して、縦框の外側縦壁の外側からねじ込まれるビスにより、重り取付ベース材がその外側縦壁の内面に固着されることを特徴としている（請求項５）。
【発明の効果】
【００１６】
請求項１の発明によれば、重り取付ベース材に所要数の重りを固着手段により固着して重り装着ユニットを構成し、その重り装着ユニットを扉本体の縦框の中空部に挿入し、縦框の外側からビスを縦框の外側縦壁に貫通して重り取付ベース材にねじ込むことにより重りを取り付けることができるので、従来の縦框にビス貫通孔を形成する単純な加工のみをすれば良い。そして、重り装着ユニットは縦框の中に収容されて外側に露見されないので、扉本体の外観体裁が損なわれることがない。従って、新規な縦框やカバーなどの別部材の製作を必要としないため、製品価格の上昇を最小限に抑えることができる。さらに、重り装着ユニットは縦框の外側に突出されないので、閉鎖位置に存する扉本体の左右両側に塀の端部が近接する場合にも左右されない。
繰り返すと、重りの追加又は除去が容易にでき、重りによって扉本体の外観体裁が損なわれず、しかも、従来用いられてきた縦框も、縦框の上下端部のキャップもそのまま使用できて、製品価格の上昇を招かず、さらに、閉鎖位置に存する扉本体の左右両側に塀の端部が近接する場合にも左右されない跳ね上げ門扉を提供することができる。
【００１７】
請求項２の発明によれば、重り装着ユニットに対する任意数の重りの装着・除去を簡単に行うことができる。請求項３の発明によれば、重り装着ユニットに対する任意数の重りの装着・除去をより簡単に行うことができる。
【００１８】
請求項４の発明によれば、帯板状のナット（長尺ビス受け部材）を用いるので、複数の独立ナットを用いる場合よりも重り装着ユニットの組立が容易であり、独立ナットの場合は扉本体の開閉時の衝撃により弛みを生じる可能性があるが、帯板状のナットは緩むことがない。従って、重りの脱落を防止することができる。また、ナット自体が重りの一部として機能するので、縦框内の空間を有効に利用することができる。
【００１９】
請求項５の発明によれば、縦框の中空部への重りの取付を簡単に行うことができ、かつ、高い取付け安定性が得られる。
【図面の簡単な説明】
【００２０】
【図１】一般的な跳ね上げ式門扉の斜視図であり、要部の拡大図も併せて示してある。
【図２】扉本体を閉鎖位置に保持する係留手段の一例を示す図であり、（ａ）は側面図、（ｂ）は背面図である。
【図３】重り装着ユニットが取り付けられた縦框の平面図である。
【図４】同縦框の断面図である。
【図５】同縦框の側面図である。
【発明を実施するための形態】
【００２１】
次に、本発明の実施の形態について、図面を参照しながら説明する。
図１において、１は左右の支柱であり、その支柱の対向面の上部に主アーム２の一端部が支軸３により回転自在に支持され、その主アーム２の一端部の付近に副アーム４の一端部が、支柱１に形成された縦孔５に挿入された軸６に結合され、その縦孔５に制限された範囲で回転自在かつ昇降自在に支持されている。
【００２２】
主アーム２の他端は、扉本体７の縦框７２の背面側（敷地側）上部に、アームブラケット９を介して、一つの水平軸１０周りに回動自在に連結されている。また、副アーム４の他端も、同様に、扉本体７の縦框７２の背面側上部に、アームブラケット９を介して、水平軸１０よりも低い位置で水平軸１１周りに回動自在に連結されている。
【００２３】
支柱１の中の下部には、付勢機構の一例として、コイルバネ１２が取り付けられ、そのコイルバネの上向き弾発力を与えられる駆動軸１３の上端部が、図示されていない結合軸を介して主アーム２に連結されている。これにより、主アーム２に支軸３を中心として上向きの回転力（付勢力）が常に与えられて、扉本体７の荷重により主アーム２にかかる負荷を軽減するように図られている。
【００２４】
また、主アーム２と副アーム４の位置関係及び縦孔５の長さは、扉本体７が図１に示されている地面に接近した閉鎖位置に存在するときは垂直姿勢となり、付勢機構の付勢力により、又はこれに加えて人が与える持ち上げ力により、上方に回動されて扉本体７が開放位置に存在するときは水平状態となるように、設定されている。
【００２５】
付勢機構の付勢力が扉本体７の荷重を凌駕する場合は、閉鎖位置に無拘束状態で放置された扉本体が勝手に上昇することを防止するため、図２に例示するように、係留手段として、地面Ｇに固定した埋め込み金具１４にチェーン１５の一端を結合し、そのチェーン１５の他端を扉本体７の縦框７２に取り付けた下降制限用ストッパ１６に設けたフック１７に着脱自在に係止してある。
【００２６】
扉本体７は、周知の扉本体と同様に、上下の横框７１と左右の縦框７２とを方形に接続して枠体を構成し、その枠体の中に格子、パネルその他の任意の境界面形成部材７３を取付けてある。
【００２７】
上記構成において、付勢機構の上向き付勢力と、これに拮抗する扉本体７の荷重とが、扉本体の開閉を軽快・円滑にでき、閉鎖時の衝撃を未然に防止するために、扉本体７に重りを付加してバランスを取ることは、既述した通りである。本発明においては、図３ないし図５に示すように、扉本体７の縦框７２の中、すなわち、中空部７２１に次のようにして装着している。
【００２８】
まず、本発明では、重りを取付けるために、重り装着ユニット２０を用いる。重り装着ユニット２０は、図３及び図４に良く示されているように、重り取付ベース材２１と、その重り取付ベース材に添設される重り２２と、その重りを複数個、重り取付ベース材２１に添設重合した状態で固着する固着手段（２３）とから構成されている。
【００２９】
重り取付ベース材２１は、縦長の薄帯板状に形成され、扉本体７の縦框７２とほぼ等しい長さを有する。縦框７２の前後の縦壁７２２，７２３の内面の外側縦壁７２４付近に形成してある一対の突縁７２５，７２６によりあり溝７２７が形成されていて、そのあり溝の中に重り取付ベース材２１が縦框の長手方向に挿入可能であるが、あり溝７２７から中空部７２１側には移動不可能とされている。
【００３０】
重り取付ベース材２１には、その長手方向に隔てた少なくとも２カ所に，ねじ孔２１１が形成されている。そして、扉本体７の縦框７２の外側縦壁７２４にもその長手方向に隔てた少なくとも２カ所に、重り取付ベース材２１のねじ孔２１１の間隔と等しい間隔をもって孔７２８が設けられている。
【００３１】
重り２２は、重り取付ベース材２１と同様に縦長の薄帯板状に分割して形成され、重り取付ベース材２１に重ね合わせて、また、重り２２同士を複数枚重ね合せて使用できるように、同一形状を有している。ただし、重り２２の幅は、重り取付ベース材２１の幅よりも、縦框のあり溝７２７を形成する一対の突縁７２５，７２６の突出幅分だけ狭く設定されている。また、各１枚の重り２２は、例えば１．０ｋｇなど、枚数を増やした場合に、総重量を計算しやすいように同一の重量を有している。重り２２’は重り２２の半分の重さ、例えば０．５ｋｇとしてある。
【００３２】
固着手段（２３）は、重り取付ベース材２１に対して１枚又は複数枚の上記重り２２，２２’を固着するためのものであるが、その構造はとくに限定されない。図示の例は、重り取付ベース材２１の上下の孔７２８の間において、少なくとも２個の孔２１２を設けるとともに、各重り２２，２２’にも、重り取付ベース材２１の孔２１２と等しい間隔をもってねじ孔２２１を形成し、重り取付ベース材２１の孔２１２に挿入したビス２３を、予め所要数だけ重ね合わせた重りのねじ孔２２１にねじ込むことにより、重り取付ベース材２１に重り２２，２２’を固着している。
【００３３】
ビス２３を重りのねじ孔２２１にねじ込むことにより重り取付ベース材２１に重り２２，２２’を固着する構造の場合は、全ての重りを完全に相互密着させた状態を保持したままビス２３をねじ込むことが必要であり、少しでも離間すると、ビスのねじ込みが円滑にできず、重り装着ユニット２０の組み立てが容易にできない虞がある。
【００３４】
これに対して、重り２２，２２’には透孔を形成し、それらの重りの透孔に貫通したビス２３の先端にナット等の抜け防止材(図示省略)を装着することにより重り取付ベース材２１に重り２２，２２’を固着する構造を採用する場合は、重り装着ユニットを円滑に組み立てることができる。
【００３５】
固着手段（２３）に、ビスとナットを用いる場合、そのナットを図４の重り２２’と同様の一つの帯板状ナットを用いる場合は、複数個の独立ナットを用いる場合のような、ナットの不要な空転を阻止することができるとともに、重り装着ユニットの組み立てがさらに容易になる。ビス２３の代わりに軸を用い、その軸の重り２２，２２´を貫通した先端を重りに嵌合させた断面コ字形の溝部材の底部に貫通し、その先端に割りぴン等を装着して固定しても良い。
【００３６】
上記のようにして、当該扉本体の荷重に適合する枚数の重りを装着して組み立てられた重り装着ユニット２０を、扉本体７の各縦框７２の中空部７２１に挿入する。さらに正確には、重り取付ベース材２１を縦框７２のあり溝７２７に合致させ、重り２２，２２’を中空部７２１に対応させた状態で、縦框７２の中空部７２１の所定位置まで移動させ、縦框７２の外側縦壁７２４の孔７２８と重り装着ユニット２０の重り取付ベース材２１のねじ孔２１１とを合致させ、縦框の外側縦壁の孔７２８からビス２４を重り取付ベース材２１のねじ孔２１１にねじ込んで、固着する。
【００３７】
縦框７２に対する重りの取付が終了した後、縦框７２の上下両端部には、従来用いられているのと同様のキャップ（図示せず）が中空部７２１に嵌合して装着される。
【００３８】
上述のように、本発明においては、既設又は既存の縦框７２に孔７２８を設けるだけで、その縦框内に所要数の重り２２，２２’を容易に取付けることができ、従来のキャップもそのまま使用することができる。
【符号の説明】
【００３９】
１      支柱
７      扉本体
７２    縦框
７２１  中空部
７２４  外側縦壁
７２７  あり溝
７２８  孔
２０    重り装着ユニット
２１    重り取付ベース材
２１１  ねじ孔  
２２，２２’  重り
２２１  ねじ孔又は透孔
２３    固着手段（ビス）
２４    ビス
【図１】
2010203047.tif 000003
【図２】
2010203047.tif 000004
【図３】
2010203047.tif 000005
【図４】
2010203047.tif 000006
【図５】
2010203047.tif 000007